【手続補正書】
【提出日】平成18年5月8日(2006.5.8)
【手続補正１】
【補正対象書類名】明細書
【補正対象項目名】全文
【補正方法】変更
【補正の内容】
【書類名】      明細書
【発明の名称】  ブランクを分離するための装置
【特許請求の範囲】
【請求項１】  表紙材料用のブランク、仮とじ本用の表紙など、枚葉紙パイルの、柔軟な枚葉紙をマガジンから連続的に分離するための装置であって、前記枚葉紙パイルを支持しそれぞれ一番下の前記枚葉紙を所定のタイミングで前記マガジンから前に押し進める、滑りにくい表面と、吸引空気を作用させることができる開口部とを備えた搬送ベルトと、一番下の前記枚葉紙を把捉し前記枚葉紙パイルから引き離す吸着部材と、引き離された前記枚葉紙と次の前記枚葉紙との間にエアクッションを形成するための送風空気装置と、前に押し進められた前記枚葉紙を引き取り継続搬送する送り出し搬送機構と、を有する装置において、
空スペースの両側で前記枚葉紙パイル（１）の縁部範囲を支持する両支持部材（１７、１８）を有し、前記吸着部材（１４）は、前記枚葉紙パイル（１）の下に移動でき前記空スペース内で前記枚葉紙（１ａ）の縁部範囲を把捉して前記枚葉紙パイル（１）から下方に引っ張り、前記支持部材（１７、１８）の周囲で内側に引っ張られて変形させられ前記枚葉紙（１ａ）の縁部に向かって開いている、前記送風空気装置（１６）によって送風空気を送入するための、前記枚葉紙のくぼみ（２１）を形成することを特徴とする装置。
【請求項２】  前記吸着部材（１４）の両側に配置され前記枚葉紙（１ａ）の前縁部に向かって延びている両支持板（１９、２０）を有しており、前記吸着部材（１４）は、前記両支持板（１９、２０）の周囲で内側に引っ張られて変形させられた、前記枚葉紙（１ａ）のくぼみ（２１）を形成するために前記両支持板（１９、２０）に対して相対的に上下移動できる、請求項１記載の装置。
【請求項３】  前記支持板（１９、２０）は前記枚葉紙（１ａ）の縁部に向かって傾いて延びている、請求項２記載の装置。
【請求項４】  前記両支持板（１９、２０）の相互の間隔を調節可能である、請求項２または３記載の装置。
【請求項５】  前記吸着部材（１４）の運動と時間的に同調して前記枚葉紙パイル（１）の下に移動でき、前記枚葉紙（１ａ）のくぼみ（２１）のすぐ後ろの範囲で前記枚葉紙パイルを持ち上げるパイルリフタ（２２）を有する、請求項１ないし４のいずれか１項記載の装置。
【請求項６】  前記吸着部材（１４）は前記枚葉紙パイル（１）の前側の、好ましくは中央の縁部範囲に配置されており、前記吸着部材（１４）の両側で前記枚葉紙パイル（１）を前側の縁部範囲で支持する支持ローラ（１７、１８）が、前記マガジン（２）の、前記枚葉紙パイル（１）を支持する搬送ベルト（３）と前記送り出し搬送機構（９、１１、１２）との間に設けられている、請求項１ないし５のいずれか１項記載の装置。
【請求項７】  前記マガジン（２）は、前記枚葉紙（１ａ）の種々異なるサイズ幅に対して、基準中心線としての、前記マガジン（２）の長手方向中心に対して位置調節可能な側方仕切り（４、５）を有している、請求項６記載の装置。
【請求項８】  前記吸着部材は、蛇腹と、その前に置かれた吸着カップとを備えた吸い口（１４）によって形成されている、請求項１ないし７のいずれか１項記載の装置。
【請求項９】  前記搬送ベルトは、それぞれ１つの前記枚葉紙パイル（３０）を収容するためのマガジン仕切り（４、５、２７、２８）を備え規定の側方相互間隔を置いて配置された２つの搬送ベルト（２３、２４）からなり、該両搬送ベルト（２３、２４）の間には、別の前記枚葉紙パイル（３１）を収容し該枚葉紙パイル（３１）の一番下の前記枚葉紙（３１ａ）を前に押し進めるための、マガジン仕切り（２７、２８）を備え同期して前後に運動可能なスライド（２５）が設けられており、前記枚葉紙（３０ａ）の縁部に向かって開き内側に引っ張られて変形させられた、前記送風空気装置（１６）によって送風空気を送入するためのくぼみを形成するために、前記吸着部材（１４）が、場合によっては支持板（１９、２０）とパイルリフタ（２２）と共に、空スペースの両側の支持ローラ（１７、１８）の間で、前記両搬送ベルト（２３、２４）および前記スライド（２５）にそれぞれ付属している、請求項１ないし８のいずれか１項記載の装置。
【請求項１０】  前記空スペースの両側で前記搬送ベルト（２３、２４）上の前記枚葉紙パイル（３０）を、送出し方向に見て側方の縁部範囲で支える支持部材（１７、２３；１８、２４）と、前記枚葉紙（３０ａ）の、側方縁部に向かって開いたくぼみを形成し、前記送風空気装置（３２）によって送風空気を送入するための吸着部材（２９）、および、場合によっては支持板（３４、３５）とパイルリフタ（３３）と、を有する、請求項９記載の装置。
【発明の詳細な説明】
【０００１】
【発明の属する技術分野】
本発明は、表紙材料用のブランク、仮とじ本用の表紙など、枚葉紙パイルの柔軟な枚葉紙をマガジンから連続的に分離するための装置であって、枚葉紙パイルを支持しそれぞれ一番下の枚葉紙を所定のタイミングでマガジンから前に押し進める、滑りにくい表面と、吸引空気を作用させることができる開口部とを備えた搬送ベルトと、一番下の枚葉紙を把捉し枚葉紙パイルから引き離す吸着部材と、引き離された枚葉紙と次の枚葉紙との間にエアクッションを形成するための送風空気装置と、前に押し進められた枚葉紙を引き取り継続搬送する送り出し搬送機構と、を有する装置に関する。
【０００２】
【従来の技術】
本出願人の独国特許出願第１９６１６０４７号明細書により知られている、丁合い機用の折り丁を分離する装置は、折り丁パイルを収容するためのマガジンを有し、このマガジンからそれぞれ一番下の枚葉紙が、滑りにくい表面と、吸引空気を作用させることができ折り丁を前側の折り縁範囲で把捉する開口部とを備え、所定のタイミングで前進可能な搬送ベルトによって前に押し進められる。マガジン底部を形成する搬送ベルトの幅はマガジンの幅と比べて小さくされおり、その結果、折り丁の背部範囲は搬送ベルトを越えて出る。一番下の折り丁の、自由な前側の折り縁範囲を把捉する吸着部材によって折り丁が傾けられ、送風空気装置によって一番下の折り丁と下から２番目の折り丁との間にエアクッションが形成されて、一番下の折り丁を摩擦によって分離できるようにする。このようにして形成された開口隙間内に送風空気装置が移動して、一方では分離空気が折り丁の滑り面に送入され、他方では積み重ねられた折り丁が搬送ベルトを越えて出る背部範囲で支持される。搬送ベルトの次には、搬送ベルトによって前に押し進められた折り丁を、折り丁パイルから受け取り引き出すために、送り出しローラとプレッシャーローラによって形成された搬送機構が配置されている。
【０００３】
【発明が解決しようとする課題】
本発明の課題は、表紙材料用のブランク、仮とじ本用の表紙など、枚葉紙パイルの柔軟な枚葉紙をマガジンから分離するための、大型サイズの不安定な枚葉紙を安定して分離できるようにする、冒頭に記載した構造の装置を提供することにある。さらに、この装置は、基準中心線として働く枚葉紙の長手方向中心に合わせて調節するのに適していなければならない。
【０００４】
【課題を解決するための手段】
上記の課題は請求項１の特徴部に記載した特徴によって解決される。本発明の好ましい構成が従属請求項に記載されている。
【０００５】
分離されるべき枚葉紙の縁範囲で枚葉紙縁部に向かって開いたくぼみにより、一番下の枚葉紙と下から２番目の枚葉紙との間にエアクッションを的確に形成できる。この区切られた範囲に空気を送入することによって、送風空気が制御されずに逃げることが避けられ、必要な空気量が比較的わずかだけで済む。枚葉紙はその縁部範囲が所定の位置にあるので、固有剛性の小さい材料でさえも吸着部材によって安定して把捉される。くぼみにより、枚葉紙パイルの一番下の枚葉紙が枚葉紙パイルから剥離し、同時に次の枚葉紙に対しては内方に向かう相対移動が行われ、それによって、いわゆる、シート間の吸い付き効果が避けられる。吸着部材はわずかな吸着力で作業でき、その結果として複数の紙を透過して吸着する危険、したがって重ね送りの危険が排除される。
【０００６】
【発明の実施の形態】
以下に、本発明の実施の形態を図面に基づいて詳細に説明する。
【０００７】
図１に示された、表紙材料用の、積み重ねられた複数のブランク、すなわちブランクパイル１を収容するマガジン２は、マガジン底部を形成する搬送ベルト３、搬送されるべき、ブランクパイル１のブランクの通過の可能な前側のアングルプレート４および５を有している。搬送ベルト３はガイドローラ６の周りを案内され所定のタイミングで前進および後退し、滑りにくい表面を有するベルトであって、その前側範囲には吸引空気源に接続された２列の孔７および８を有している。搬送ベルト３によって加えられる摩擦力と吸引空気との組み合わせにより、搬送ベルト３が所定のタイミングで前進する際にそれぞれ一番下のブランク１ａが一緒に動かされ、搬送ベルト３のすぐ後ろに配置されている、より高い速度で一定に駆動される送り出しローラ９とばねで支持されたプレッシャーローラ１１および１２とによって形成された送り出し搬送機構に引き渡される。
【０００８】
送り出し搬送機構９、１１および１２によって一番下のブランク１ａの引き取りが行われた後、搬送ベルト３はブランクパイル１の、次のブランクを前に押し進めるために再び初期位置に戻る。このために、所定のタイミングで送風空気に切り換えることにより、送風空気源と連通している孔７および８から搬送ベルト３とブランクパイル１との間にエアクッションが形成されて摩擦が低減される。この際、ブランクパイル１が押し戻されるのが、後側ストッパ（図示しない）に当たることによって防がれる。
【０００９】
分離されるべきブランク１ａを前に押し進める際に一番下のブランク１ａとブランクパイル１との間にエアクッションを形成するために、送り出し方向に見てブランクパイル１の前側の中央縁部範囲には、一番下のブランク１ａを把捉してブランクパイル１から引き離す、垂直な平面に沿って移動可能な、吸着カップと蛇腹とを備えた吸い口１４があり、さらにカム制御された揺動機構１５を介して、一番下のブランク１ａとブランクパイル１との間の平面に運動可能な、ノズル１６ａとブランクパイル１を下から支えるためのストッパ１６ｂとを備えた送風空気装置１６がある。
【００１０】
ブランクパイル１のブランクの種々異なるサイズ幅に対して、アングルプレート４および５は、基準中心線として用いられる、マガジン２の長手方向中心に対して位置調節できる。
【００１１】
吸い口１４および送風空気装置１６は、ブランクパイル１の縁部範囲を支持する支持ローラ１７と１８との間の空スペース内で、搬送ベルト３および送出しローラ９と高さの等しい平面上にある。
【００１２】
吸い口１４の両側には、ブランク１ａの縁部に対して直角に延び前方に向かって下降している支持板１９および２０が設けられている。支持ローラ１７と１８および支持板１９と２０の周囲で内側に引っ張られて変形させられブランク１ａの縁部に向かって開いたくぼみ２１を形成するための吸い口１４の吸着カップは、負圧が生じた時に吸い口１４の蛇腹がテレスコープ式に収縮することによって支持板１９および２０に対して相対的に運動する。
【００１３】
送風空気装置１６の移動時の動作の安定性を高めるという観点から、吸い口１４によって引き離された一番下のブランク１ａとブランクパイル１との間の開き角をさらに拡大するために、パイルリフタ２２が設けられている。パイルリフタ２２は吸い口１４の運動と時間的に同調して、くぼみ２１のすぐ後ろの範囲でブランクパイル１を運動平面から持ち上げる。
【００１４】
以下に、図２、図３および図４に基づき、表紙材料のためのブランク１ａの分離を続きの複数の運動段階で説明する。
【００１５】
図２では、吸い口１４は垂直平面に沿って上側終端位置でブランクパイル１の前側の中央縁部範囲の下に移動している。このとき、ブランクパイル１は搬送平面の上方に持ち上げられ、一番下のブランク１ａが吸い口１４によって把捉される。さらに、ブランクパイル１を搬送平面の上方に吸い口１４とほぼ高さの等しい位置に持ち上げるために、パイルリフタが垂直平面に沿ってブランクパイル１の前縁に対して規定の間隔を置いてブランクパイル１の下に移動する。
【００１６】
図３は、ブランクパイル１から引き離されたブランク１ａを把捉した、下側の終端位置にある吸い口１４を示している。このとき、負圧によって蛇腹がテレスコープ状に収縮する結果として、吸い口１４の吸着カップが側方支持板１９および２０に対して相対的に運動することによって、支持板１９と２０の周囲で内側に引っ張られて変形させられブランク１ａの縁部に向かって開いたくぼみ２１が生じる。
【００１７】
図４は、引き離された一番下のブランク１ａとブランクパイル１との間に、カム制御された揺動機構１５を介して移動させられた送風空気装置１６を示している。支持ローラ１７および１８を介して搬送ベルト３によってブランク１ａを所定のタイミングで前に押し進める際にブランク１ａとブランクパイル１との間の摩擦を低減するために、送風空気装置１６により、くぼみ２１を起点として、制御されたエアクッションが形成される。
【００１８】
本発明は上に説明および図示された実施例に限定されるものではなく、本発明の枠から離れることなく多数の適用を許すものである。
【００１９】
図５から見られるように、表紙材料のための３部分からなるブランク３０および３１を処理するために、マガジン底部を形成する搬送ベルト３は、２つの搬送ベルト２３および２４と、これらの搬送ベルトの間で搬送ベルト２３および２４と同期して前進および後退可能な、吸引空気源および送風空気源と連通している孔２６を備えたスライド２５とから形成することができる。２つのベルト２３および２４とスライド２５とには、それぞれアングルプレート４、５、２７、２８がマガジン仕切りとして付属している。ブランク３１ａをブランクパイル３１から分離するために、前側の縁部範囲に作用する吸い口１４が支持板１９および２０、送風空気装置１６およびパイルリフタ２２と共に使用されている間、一番下のブランク３０ａをブランクパイル３０から分離するために、両ベルト２３および２４上には、ブランクパイル３０の搬送方向で見て側方の縁部範囲に作用する吸い口２９、支持板３４および３５、側方から一番下のブランク３０ａとブランクパイル３０との間に移動可能な送風空気装置３２、ならびにパイルリフタ３３が設けられている。これらの部材は、内側に引っ張られて変形させられ縁部に向かって開いた、送風空気を送入するためのくぼみを形成するために、搬送ベルト２３と支持ローラ１７および搬送ベルト２４と支持ローラ１８との間の空スペース内に配置されている。スライド２５と両ベルト２３および２４とによって、所定のタイミングで前に押し進められたブランク３０ａおよび３１ａは、最後に送り出しローラ９、プレッシャーローラ１１および１２、さらに中央のブランクパイル３１のための別のプレッシャーローラ１０および１０ａによって形成される送り出し搬送機構によって引き取られ、より高い速度で継続搬送される。
【図面の簡単な説明】
【図１】
表紙材料のためのブランクを連続的に分離するための装置の前側部分の斜視図である。
【図２】
後続の運動段階における、装置の前側部分の縦断面図である。
【図３】
図２の次の運動段階における、装置の前側部分の縦断面図である。
【図４】
図３の次の運動段階における、装置の前側部分の縦断面図である。
【図５】
別の構成の装置の斜視図である。
【符号の説明】
１  ブランクパイル
１ａ  ブランク
２  マガジン
３  搬送ベルト
４  アングルプレート
５  アングルプレート
６  ガイドローラ
７  孔
８  孔
９  送り出し搬送機構
１０  プレッシャーローラ
１１  送り出し搬送機構
１２  送り出し搬送機構
１４  吸着部材
１６  送風空気装置
１７  支持ローラ
１８  支持ローラ
１９  支持板
２０  支持板
２１  くぼみ
２２  パイルリフタ
２３  搬送ベルト
２４  搬送ベルト
２５  スライド
２７  アングルプレート
２８  アングルプレート
２９  吸着部材
３０  ブランクパイル
３０ａ  枚葉紙
３１  ブランクパイル
３２  送風空気装置
３３  パイルリフタ
３４  支持板
３５  支持板
【手続補正２】
【補正対象書類名】図面
【補正対象項目名】図１
【補正方法】変更
【補正の内容】
【図１】
1999349161.tif 000001
【手続補正３】
【補正対象書類名】図面
【補正対象項目名】図５
【補正方法】変更
【補正の内容】
【図５】
1999349161.tif 000002